(57)【要約】【課題】エンジンの体積効率係数を精度よく演算する。【解決手段】排気還流路及び排気還流弁からなる排気還流装置と、エンジンの運転状態に基づいて排気還流弁を制御するコントロールユニットを備えたエンジンの制御装置であって、目標排気還流状態でのエンジンの体積効率係数ｗＥＧＲを演算する目標ＥＧＲ導入時体積効率係数演算部２３と、非排気還流状態でのエンジンの体積効率係数ｗｏＥＧＲを演算するＥＧＲ非導入時体積効率係数演算部２２と、目標排気還流状態のＥＧＲ率ｂを演算する体積効率係数補正用ＥＧＲ率演算部２５と、現状のＥＧＲ率ａを演算する筒内ＥＧＲ率演算部２６と、目標排気還流状態のＥＧＲ率ｂと現状のＥＧＲ率ａとの比に基づいて、目標排気還流状態での体積効率係数ｗｏＥＧＲと非排気還流状態での体積効率係数ｗｏＥＧＲとを補間して、現状のエンジンの体積効率係数Ｋveを演算する体積効率係数演算部２７と、を備える。【選択図】図４
2020007940.tif 000002
【特許請求の範囲】
【請求項１】
エンジンの排気の一部を吸気通路に還流する排気還流路と、前記排気還流路を開閉する排気還流弁と、前記エンジンの運転状態に基づいて前記排気還流弁を制御する排気還流制御部と、を備えたエンジンの制御装置であって、
前記排気還流路による排気還流量相当値が前記エンジンの運転状態に基づいて設定される目標排気還流量相当値である目標排気還流状態での前記エンジンの体積効率係数を演算する目標排気還流時体積効率係数演算部と、
前記排気還流量相当値が０である非排気還流状態での前記エンジンの体積効率係数を演算する非排気還流時体積効率係数演算部と、
前記目標排気還流状態の排気還流量相当値を演算する目標排気還流時排気還流量演算部と、
前記エンジンの運転状態に基づいて、現状の排気還流量相当値を演算する現排気還流量演算部と、
前記目標排気還流状態の排気還流量相当値と前記現状の排気還流量相当値との比に基づいて、前記目標排気還流状態での前記体積効率係数と前記非排気還流状態での前記体積効率係数とを補間して、現状の前記エンジンの体積効率係数を演算する体積効率係数演算部と、を備えたことを特徴とするエンジンの制御装置。
【請求項２】
前記体積効率係数演算部は、前記現状の排気還流量相当値をａ、前記目標排気還流状態の排気還流量相当値をｂ、前記目標排気還流状態での体積効率係数をｗＥＧＲ、前記非排気還流状態での体積効率係数をｗｏＥＧＲとした場合、
Ｋve＝（ｗＥＧＲ×（ａ／ｂ）＋（ｗｏＥＧＲ×（１−（ａ／ｂ）））
によって、前記現状のエンジンの体積効率係数Ｋveを演算することを特徴とする請求項１に記載のエンジンの制御装置。
【請求項３】
前記エンジンの回転速度を検出するエンジン回転速度検出器と、
前記エンジンの吸気圧を検出する吸気圧検出器と、を備え、
前記目標排気還流時体積効率係数演算部及び前記非排気還流時体積効率係数演算部は、前記エンジンの回転速度と吸気圧とに基づいて、前記エンジンの体積効率係数を夫々演算することを特徴とする請求項１または２に記載のエンジンの制御装置。
【請求項４】
前記目標排気還流時排気還流量演算部は、前記目標排気還流時体積効率係数演算部で演算した前記目標排気還流状態での前記体積効率係数と前記エンジンの回転速度と吸気圧とに基づいて、前記目標排気還流状態での排気還流量相当値を演算することを特徴とする請求項３に記載のエンジンの制御装置。
【請求項５】
前記エンジンの回転速度を検出するエンジン回転速度検出器と、
前記エンジンの吸気圧を検出する吸気圧検出器と、
前記排気還流弁の開度を検出する還流弁開度検出器を備え、
前記現排気還流量演算部は、前記排気還流弁の開度と前記エンジンの回転速度と吸気圧とに基づいて、前記現状の排気還流量相当値を演算することを特徴とする請求項１から４のいずれか１項に記載のエンジンの制御装置。
【請求項６】
前記排気還流量相当値は、前記エンジンの吸気量に対する排気還流量の割合である排気還流率であることを特徴とする請求項１から５のいずれか１項に記載のエンジンの制御装置。
【発明の詳細な説明】
【技術分野】
【０００１】
本発明は、排気還流装置を備えたエンジンの制御技術に関する。
【背景技術】
【０００２】
エンジンの燃料噴射を適切に制御するために、筒内への吸気量を正確に演算する必要がある。筒内への吸気量については、例えば吸気スロットルバルブの上流部に設けられたフローセンサを用いて計測したり、スロットルバルブの下流側の吸気圧であるインマニ圧とエンジン回転速度から推定演算したりする方法が知られている。
また、特許文献１には、エンジンの定常運転時において、インマニ圧と体積効率相当値とを用いて筒内への吸気量を算出するとともにスロットル開度と吸気量との関係を学習し、過渡運転時においては、この学習結果を用いて筒内への吸気量を算出する方法が開示されている。
【先行技術文献】
【特許文献】
【０００３】
【特許文献１】特開２０１４−８４８１７号公報
【発明の概要】
【発明が解決しようとする課題】
【０００４】
しかしながら、エンジンの多くには、ＮＯｘ排出量を低減させるためにＥＧＲ装置(外部ＥＧＲ装置)が搭載されている。ＥＧＲ装置は、エンジンの排気の一部を吸気側に還流させて、筒内での燃焼温度を低下させることで、ＮＯｘの排出量を低減させる。したがって、ＥＧＲ装置により排気を還流させると、燃焼に寄与する空気量である筒内への新気量が減少し、燃料噴射制御するために必要な筒内への吸気量（新気量）を正確に演算することが困難となってしまう。
【０００５】
特に、ＥＧＲ装置は一般的にエンジンの運転状態に基づいてオンオフ制御されるので、過渡運転時のように排気の還流のオンオフが切り替わる際には、排気還流量が変化して、筒内への吸気量を正確に演算することが困難となってしまう。
本発明はこのような問題点を解決するためになされたもので、ＥＧＲ装置を備えたエンジンにおいて、精度よく筒内への吸気量を演算することが可能となるエンジンの制御装置を提供することにある。
【課題を解決するための手段】
【０００６】
上記の目的を達成するために、本発明のエンジンの制御装置は、エンジンの排気の一部を吸気通路に還流する排気還流路と、前記エンジンの運転状態に基づいて前記排気還流弁を制御する排気還流制御部と、を備えたエンジンの制御装置であって、前記排気還流路による排気還流量相当値が前記エンジンの運転状態に基づいて設定される目標排気還流量相当値である目標排気還流状態での前記エンジンの体積効率係数を演算する目標排気還流時体積効率係数演算部と、前記排気還流量相当値が０である非排気還流状態での前記エンジンの体積効率係数を演算する非排気還流時体積効率係数演算部と、前記目標排気還流状態の排気還流量相当値を演算する目標排気還流時排気還流量演算部と、前記エンジンの運転状態に基づいて、現状の排気還流量相当値を演算する現排気還流量演算部と、前記目標排気還流状態の排気還流量相当値と前記現状の排気還流量相当値との比に基づいて、前記目標排気還流状態での前記体積効率係数と前記非排気還流状態での前記体積効率係数とを補間して、現状の前記エンジンの体積効率係数を演算する体積効率係数演算部と、を備えたことを特徴とする。
【０００７】
これにより、目標排気還流状態の排気還流量相当値と現状の排気還流量相当値との比に基づいて、目標排気還流状態の体積効率係数と非排気還流状態での体積効率係数との間に、現状の体積効率係数が演算される。したがって、目標排気還流状態でない排気還流状態であっても、体積効率係数を精度よく演算することができる。
また、好ましくは、前記体積効率係数演算部は、前記現状の排気還流量相当値をａ、前記目標排気還流状態の排気還流量相当値をｂ、前記目標排気還流状態での体積効率係数をｗＥＧＲ、前記非排気還流状態での体積効率係数をｗｏＥＧＲとした場合、Ｋve＝（ｗＥＧＲ×（ａ／ｂ）＋（ｗｏＥＧＲ×（１−（ａ／ｂ）））によって、前記現状のエンジンの体積効率係数Ｋveを演算するとよい。
【０００８】
これにより、目標排気還流状態でない排気還流状態でのエンジンの体積効率係数を、目標排気還流状態の排気還流量相当値と現状の排気還流量相当値との比に基づいて、容易にかつ精度よく演算することが可能となる。
また、好ましくは、前記エンジンの回転速度を検出するエンジン回転速度検出器と、前記エンジンの吸気圧を検出する吸気圧検出器と、を備え、前記目標排気還流時体積効率係数演算部及び前記非排気還流時体積効率係数演算部は、前記エンジンの回転速度と吸気圧とに基づいて、前記エンジンの体積効率係数を夫々演算するとよい。
【０００９】
これにより、エンジンの回転速度と吸気圧を用いて、目標排気還流時体積効率係数演算部は目標排気還流状態でのエンジンの体積効率係数を、非排気還流時体積効率係数演算部は非排気還流状態でのエンジンの体積効率係数を、夫々容易に演算することが可能となる。
また、好ましくは、前記目標排気還流時排気還流量演算部は、前記目標排気還流時体積効率係数演算部で演算した前記目標排気還流状態での前記体積効率係数と前記エンジンの回転速度と吸気圧とに基づいて、前記目標排気還流状態での排気還流量相当値を演算するとよい。
【００１０】
これにより、目標排気還流時体積効率係数演算部で演算した目標排気還流状態での体積効率係数を利用して、目標排気還流状態での排気還流量相当値を容易に演算することができる。
また、好ましくは、前記エンジンの回転速度を検出するエンジン回転速度検出器と、前記エンジンの吸気圧を検出する吸気圧検出器と、前記排気還流弁の開度を検出する還流弁開度検出器を備え、前記現排気還流量演算部は、前記排気還流弁の開度と前記エンジンの回転速度と吸気圧とに基づいて、前記現状の排気還流量相当値を演算するとよい。
【００１１】
これにより、現状の排気還流量相当値を容易に演算することが可能となる。
また、好ましくは、前記排気還流量相当値は、前記エンジンの吸気量に対する前記排気還流量の割合である排気還流率であるとよい。
これにより、エンジンの体積効率係数を排気還流率に基づいて演算することが可能となる。
【発明の効果】
【００１２】
本発明のエンジンの制御装置によれば、目標排気還流状態でない排気還流状態であっても、体積効率係数を精度よく演算することができるので、排気還流弁の開閉切替直後のような過渡運転状態においても体積効率係数を精度よく演算し、筒内への新気の吸入量を精度よく演算することができる。これにより、新気の吸入量に基づいて燃料噴射量を精度よく制御することが可能となり、エンジンの燃費の向上を図ることができる。
【図面の簡単な説明】
【００１３】
【図１】本発明の実施形態におけるエンジンの制御装置の概略構成図である。
【図２】エンジンの負荷とＥＧＲ率との関係を示すマップの一例である。
【図３】エンジンの負荷と体積効率係数との関係を示すマップの一例である。
【図４】本実施形態のエンジンコントロールユニットにおける体積効率係数演算部の構成を示すブロック図である
【図５】エンジンの負荷に対するＥＧＲ率、インマニ圧、体積効率係数の関係を示すマップである。
【発明を実施するための形態】
【００１４】
以下、図面に基づき本発明の実施形態について説明する。
図１は、本発明の制御装置１が適用されたエンジン２の概略構成図である。
エンジン２は、走行駆動源として車両に搭載されており、例えば多気筒のガソリンエンジンであって、図１では簡略して１つの気筒のみ記載している。エンジン２は、各気筒に設けられた燃料噴射弁３から、任意の噴射時期及び噴射量で各気筒の吸気ポート内に燃料を噴射し、点火プラグ４によって燃焼室５内の混合気を点火して燃焼可能な構成となっている。
【００１５】
エンジン２の吸気通路６には、新気の流量を調整するための電子制御スロットルバルブ７が設けられている。
また、エンジン２には、ＥＧＲ装置１０が備えられている。ＥＧＲ装置１０は、エンジン２の吸気通路６と排気通路８とを連通するＥＧＲ通路１１（排気還流路）と、ＥＧＲ通路１１を開閉するＥＧＲバルブ１２（排気還流弁）とにより構成されている。ＥＧＲ装置１０は、排気通路８からＥＧＲ通路１１を介して排気の一部を吸気通路６に還流させる。このように排気の一部（ＥＧＲガス）を吸気通路６に流入させることで、筒内の燃焼温度を低下させ、エンジン２からのＮＯｘの排出量を低減させる。
【００１６】
更に、エンジン２には、エンジン２の回転速度を検出する回転速度センサ１５（エンジン回転速度検出器）が設けられている。吸気通路６のエンジン２側の端部である吸気マニホールド１７には、吸気圧（インマニ圧)を検出するインマニ圧センサ１８（吸気圧検出器）を備えている。また、ＥＧＲバルブ１２には、ＥＧＲバルブの開度を検出するＥＧＲ開度センサ１９（還流弁開度検出器）が設けられている。
【００１７】
エンジンコントロールユニット２０（排気還流制御部）は、入出力装置、記憶装置（ＲＯＭ、ＲＡＭ、不揮発性ＲＡＭ等）、タイマ及び中央演算処理装置（ＣＰＵ）等を含んで構成され、回転速度センサ１５、インマニ圧センサ１８、ＥＧＲ開度センサ１９等の各種センサの検出情報を入力し、当該各種情報に基づいて体積効率係数を演算する。なお、体積効率係数は、吸気通路６から筒内への新気の入りやすさの指標となるものであり、吸気管内と同じ密度の空気が行程容積を満たす場合の空気量に対する、シリンダーが吸入した空気量の割合である。
【００１８】
エンジンコントロールユニット２０は、更に、体積効率係数を用いて新気の筒内への吸気量を演算し、当該吸気量に基づいて各気筒の燃料噴射量を演算して、燃料噴射弁３からの燃料噴射を制御する。また、エンジンコントロールユニット２０は、点火プラグ４による点火、電子制御スロットルバルブ７の開度、ＥＧＲバルブ１２の開度を制御して、エンジン２の運転制御を行う。
【００１９】
図２は、エンジン２の負荷とＥＧＲ率との関係を示すマップの一例である。図３は、エンジン２の負荷と体積効率係数との関係を示すマップの一例である。
エンジンコントロールユニット２０は、エンジン２の負荷に基づいて目標ＥＧＲ率(目標排気還流量相当値)を設定して、ＥＧＲバルブ１２の開度を制御する。ＥＧＲ率（排気還流率）は、新気の流量に対するＥＧＲガスの流量の割合である。エンジン２の負荷は、例えば回転速度センサ１５により検出したエンジン回転速度とインマニ圧センサ１８により検出したインマニ圧とに基づいて演算すればよい。
【００２０】
例えば図２に示すように、目標ＥＧＲ率は、エンジン２の負荷に基づいて変化し、低負荷時及び高負荷時に減少し、中負荷時において増加するように設定される。これは、低負荷時においてはエンジン２の燃焼安定性を確保するためであり、高負荷時においてはインマニ圧が上昇することから排気が還流し難くなるためである。
また、エンジン２の体積効率係数は、負荷に応じて変化する。例えば図３に示すように、体積効率係数は、エンジン２の負荷が増加するに伴って増加する。また、体積効率係数は、ＥＧＲ非導入時とＥＧＲ導入時とで異なる値となり、目標ＥＧＲ率のＥＧＲ導入時である目標ＥＧＲ導入時（目標排気還流状態）では、吸気中に排気の割合が増加するため、ＥＧＲ非導入時（非排気還流状態）よりも小さい値となる。
【００２１】
次に、図４及び図５を用いて、ＥＧＲ導入時における体積効率係数の演算方法について説明する。本実施形態のエンジンコントロールユニット２０は、ＥＧＲ非導入時及び目標ＥＧＲ導入時だけでなく、目標ＥＧＲ率でないＥＧＲ導入状態での体積効率係数について演算する。
図４は、エンジンコントロールユニット２０における体積効率係数演算ユニット２１のブロック図である。図５は、エンジン２の負荷に対するＥＧＲ率、インマニ圧、体積効率係数の関係を示すマップであり、実線が目標ＥＧＲ率導入時、破線がＥＧＲ非導入時を示す。なお、図５中のＥＧＲ率のマップは図２に該当し、体積効率係数のマップは図３に該当する。
【００２２】
図４に示すように、エンジンコントロールユニット２０には、エンジン２の現状の運転状態（現運転点）における体積効率係数Ｋveを演算する体積効率係数演算ユニット２１として、ＥＧＲ非導入時体積効率係数演算部２２（非排気還流時体積効率係数演算部）、目標ＥＧＲ導入時体積効率係数演算部２３（目標排気還流時体積効率係数演算部）、筒内空気量演算部２４（目標排気還流時排気還流量演算部）、体積効率係数補正用ＥＧＲ率演算部２５（目標排気還流時排気還流量演算部）、筒内ＥＧＲ率演算部２６（現排気還流量演算部）、体積効率係数演算部２７を備えている。
【００２３】
ＥＧＲ非導入時体積効率係数演算部２２は、インマニ圧センサ１８からから入力したインマニ圧Ｐｂと、回転速度センサ１５から入力したエンジン回転速度Ｎｅとに基づいて、あらかじめ試験等によって確認し記憶しているマップを用いて、ＥＧＲ非導入時の体積効率係数ｗｏＥＧＲを演算する。
なお、負荷とインマニ圧との関係は、例えばエンジン回転速度Ｎｅが一定の場合に、図５中の破線ｃに示すように、ＥＧＲ非導入時においては負荷が増加するに伴ってインマニ圧も増加する比例関係となる。そして、エンジン回転速度Ｎｅ毎に設けられたマップを用いて、インマニ圧Ｐｂに対応する負荷ｄに基づいて、ＥＧＲ非導入時の体積効率係数ｗｏＥＧＲが求められる。
【００２４】
目標ＥＧＲ導入時体積効率係数演算部２３は、インマニ圧センサ１８からから入力したインマニ圧Ｐｂと、回転速度センサ１５から入力したエンジン回転速度Ｎｅとに基づいて、あらかじめ試験等によって確認し記憶しているマップを用いて目標ＥＧＲ導入時の体積効率係数ｗＥＧＲを演算する。
なお、目標ＥＧＲ導入時においては、負荷とインマニ圧との関係は、例えばエンジン回転速度Ｎｅを一定とした場合に、図５の実線ｅに示すように、負荷が増加するに伴ってインマニ圧も増加するものの、ＥＧＲ非導入時よりもインマニ圧が増加する。そして、エンジン回転速度Ｎｅ毎に設けられたマップを用いて、インマニ圧センサ１８からから入力したインマニ圧Ｐｂに対応する負荷ｆに基づいてＥＧＲ非導入時の体積効率係数ｗＥＧＲが求められる。エンジン回転速度Ｎｅが一定である場合、目標ＥＧＲ導入時における負荷ｆは、ＥＧＲ非導入時における負荷ｄよりも小さくなるので、目標ＥＧＲ導入時の体積効率係数ｗＥＧＲは、ＥＧＲ非導入時の体積効率係数ｗｏＥＧＲよりも小さい値となる。
【００２５】
筒内空気量演算部２４は、目標ＥＧＲ導入時体積効率係数演算部２３により演算した目標ＥＧＲ率導入時の体積効率係数ｗＥＧＲとインマニ圧センサ１８から入力したインマニ圧Ｐｂに基づいて、目標ＥＧＲ率導入時における負荷（充填効率Ｅｃ）を演算する。負荷（充填効率Ｅｃ）は、例えば下記（1）式によって演算すればよい。
負荷（充填効率Ｅｃ）＝ｗＥＧＲ×（Ｐｂ／大気圧）×１００（％）・・・（1）
体積効率係数補正用ＥＧＲ率演算部２５は、筒内空気量演算部２４で演算された負荷（充填効率Ｅｃ）とエンジン回転速度Ｎｅとに基づいて、目標ＥＧＲ導入時におけるＥＧＲ率である体積効率係数補正用ＥＧＲ率ｂ（目標排気還流状態の排気還流量相当値）を演算する。
【００２６】
筒内ＥＧＲ率演算部２６は、回転速度センサ１５から入力したエンジン回転速度Ｎｅとインマニ圧センサ１８からから入力したインマニ圧Ｐｂ、更にＥＧＲ開度センサ１９から入力したＥＧＲバルブ１２の開度θegrに基づいて、例えばあらかじめ記憶しているマップを用いて現運転点でのＥＧＲ率ａ（現状の排気還流量相当値）を演算する。
体積効率係数演算部２７は、ＥＧＲ非導入時体積効率係数演算部２２において演算したＥＧＲ非導入時における体積効率係数ｗｏＥＧＲと、目標ＥＧＲ導入時体積効率係数演算部２３において演算した目標ＥＧＲ導入時における体積効率係数ｗＥＧＲと、体積効率係数補正用ＥＧＲ率演算部２５において演算した目標ＥＧＲ導入時におけるＥＧＲ率ｂと、筒内ＥＧＲ率演算部２６において演算した現運転点でのＥＧＲ率ａとに基づいて、現運転点での体積効率係数ｋveを演算する。
【００２７】
現運転点での体積効率係数Ｋveは、以下の式（２）によって演算される。
Ｋve＝ｗＥＧＲ×（ａ／ｂ）＋（ｗｏＥＧＲ×（１−（ａ／ｂ））・・・（２）
以上のように、本実施形態のエンジン２は、ＥＧＲ装置１０を備えており、負荷に基づいて目標ＥＧＲ率となるようにＥＧＲバルブ１２を制御する。そして、エンジン２の吸気量を演算するために使用する体積効率係数として、ＥＧＲ非導入時の体積効率係数ｗｏＥＧＲと目標ＥＧＲ率導入時の体積効率係数ｗＥＧＲを夫々演算する。しかし、ＥＧＲバルブ１２を非導入(閉弁)と導入（開弁）との間で切り替えた直後では、体積効率係数はＥＧＲ非導入時の値ｗｏＥＧＲと目標ＥＧＲ率導入時の値ｗＥＧＲとの間を移行するため、このような移行中においては、体積効率係数は目標ＥＧＲ率導入時の値ｗＥＧＲやＥＧＲ非導入時の値ｗｏＥＧＲとは異なる値となる。
【００２８】
これに対し、本実施形態では、ＥＧＲ非導入時における体積効率係数ｗｏＥＧＲと、目標ＥＧＲ導入時における体積効率係数ｗＥＧＲとを補間して、ＥＧＲ導入時における体積効率係数Ｋveを演算する。
詳しくは、エンジン２の現状の運転点を表すインマニ圧Ｐｂ及びエンジン回転速度Ｎｅより、ＥＧＲ非導入時の体積効率係数ｗｏＥＧＲと、目標ＥＧＲ率導入時の体積効率係数ｗＥＧＲとを夫々演算して、ＥＧＲ導入時と非導入時とで選択して現運転点での体積効率係数Ｋveとして使用するのではなく、目標ＥＧＲ導入時のＥＧＲ率ｂと現運転点でのＥＧＲ率ａとの比に対応して、ＥＧＲ非導入時の体積効率係数ｗｏＥＧＲと目標ＥＧＲ導入時の体積効率係数ｗＥＧＲとの間の値に現状の体積効率係数Ｋveを設定する。
【００２９】
このようにＥＧＲ導入時における体積効率係数Ｋveを、エンジン２の運転状態に基づいてＥＧＲ非導入時の体積効率係数ｗｏＥＧＲと目標ＥＧＲ導入時の体積効率係数ｗＥＧＲとの間の値に設定するので、ＥＧＲ導入時において目標ＥＧＲ率となっていない状況でも、体積効率係数Ｋveを精度よく演算することができる。
これにより、エンジン２の過渡運転状態のようにＥＧＲバルブ１２の開度が変化している状況においても、体積効率係数Ｋveを用いて筒内への新気の吸入量を精度よく演算することができ、当該新気の吸入量に基づいて燃料供給量を精度よく制御することが可能となり、燃費の向上を図ることができる。
【００３０】
また、体積効率係数演算部２７は、Ｋve＝（ｗＥＧＲ×（ａ／ｂ）＋（ｗｏＥＧＲ×（１−（ａ／ｂ）））によって現状のエンジンの体積効率係数Ｋveを演算するので、現状のエンジンの体積効率係数Ｋveを容易にかつ精度よく求めることができる。
このように、ＥＧＲ非導入時の体積効率係数ｗｏＥＧＲと目標ＥＧＲ導入時の体積効率係数ｗＥＧＲとの間に体積効率係数Ｋveを設定する際に、目標ＥＧＲ導入時のＥＧＲ率ｂと現運転点でのＥＧＲ率ａとの比（ａ/ｂ）を用いることで、ＥＧＲ非導入時の体積効率係数ｗｏＥＧＲと目標ＥＧＲ導入時の体積効率係数ｗＥＧＲとの間で適切な重みづけをした加重平均を取り、現状のエンジンの体積効率係数Ｋveを正確に演算することができる。
【００３１】
なお、本願発明は、上記実施形態に限定するものではない。例えば上記実施形態では、
ＥＧＲ非導入時体積効率係数演算部２２や目標ＥＧＲ導入時体積効率係数演算部２３においてエンジン２の回転速度Ｎｅとインマニ圧Ｐｂを用いて体積効率係数ｗｏＥＧＲあるいはｗＥＧＲを演算しているが、エンジン２の負荷あるいは負荷に相当する指標を代わりに用いて演算してもよい。
【００３２】
また、体積効率係数補正用ＥＧＲ率演算部２５や筒内ＥＧＲ率演算部２６においてＥＧＲ率を演算しているが、ＥＧＲ率の代わりにＥＧＲ量(排気還流量)あるいはＥＧＲ量に相当する指標を演算し、これらの比を体積効率係数演算部２７において体積効率係数Ｋveの演算に使用してもよい。
また、本実施形態は、吸気ポートに燃料を噴射するガソリンエンジンに本発明を適用しているが、筒内に燃料を噴射するエンジンや、圧縮着火するディーゼルエンジン等のようなＥＧＲ装置を備えた各種エンジンに本発明を広く適用することができる。
【符号の説明】
【００３３】
２  エンジン
１１  ＥＧＲ通路（排気還流路）
１３  ＥＧＲバルブ（排気還流弁）
１５  回転速度センサ（エンジン回転速度検出器）
１８  インマニ圧センサ（吸気圧検出器）
１９  ＥＧＲ開度センサ（還流弁開度検出器）
２０  エンジンコントロールユニット（排気還流制御部）
２２  ＥＧＲ非導入時体積効率係数演算部（非排気還流時体積効率係数演算部）
２３  目標ＥＧＲ導入時体積効率係数演算部（目標排気還流時体積効率係数演算部）
２４  筒内空気量演算部（目標排気還流時排気還流量演算部）
２５  体積効率係数補正用ＥＧＲ率演算部（目標排気還流時排気還流量演算部）
２６  筒内ＥＧＲ率演算部（現排気還流量演算部）
２７  体積効率係数演算部
【図１】
2020007940.tif 000003
【図２】
2020007940.tif 000004
【図３】
2020007940.tif 000005
【図４】
2020007940.tif 000006
【図５】
2020007940.tif 000007